(57)【要約】      （修正有）【課題】面倒な作業を行うことなく、ストレーナーをパイプ本体の外周に周設することが可能な排水パイプを提供する。【解決手段】中空のパイプ本体２と、パイプ本体２に形成した複数個の導水孔３と、導水孔３を塞ぐ配置でパイプ本体２の外周に周設されたストレーナー４とを具備して排水パイプを構成する。さらに、ストレーナー４は、細い線材をフレキシブルかつ周方向へ拡縮自在に編み上げて形成した透水性の筒状体である。また、ストレーナー４の径を広げながら、ストレーナー４ですべての導水孔３を塞ぐことができる位置まで、ストレーナー４内にパイプ本体２を挿入し、パイプ本体２の外周にストレーナー４を周設可能とする。それにより、パイプ本体の径の大小にかかわらず、面倒な作業を行うことなく、ストレーナーをパイプ本体の外周に周設することが可能となる。【選択図】図２
0003169598.tif 000002
【実用新案登録請求の範囲】
【請求項１】
中空のパイプ本体（２）と、
該パイプ本体（２）に形成した複数個の導水孔（３）と、
該導水孔（３）を塞ぐ配置で前記パイプ本体（２）の外周に周設されたストレーナー（４）と、を具備した排水パイプであって、
前記ストレーナー（４）は、
細い線材をフレキシブルかつ周方向へ拡縮自在に編み上げて形成した透水性の筒状体である、ことを特徴とした排水パイプ。
【請求項２】
中空のパイプ本体（２）と、
該パイプ本体（２）に形成した複数個の導水孔（３）と、
該導水孔（３）を塞ぐ配置で前記パイプ本体（２）の外周に周設されたストレーナー（４）と、
該ストレーナー（４）の両端部分に周設された締付部材（５）と、を具備した排水パイプであって、
前記ストレーナー（４）は、
細い線材をフレキシブルかつ周方向へ拡縮自在に編み上げて形成した透水性の筒状体である、ことを特徴とした排水パイプ。
【請求項３】
前記線材が樹脂製の線材であることを特徴とする請求項１又は請求項２に記載の排水パイプ。
【考案の詳細な説明】
【技術分野】
【０００１】
本考案は、法面や地中内に埋設されて、あるいは井戸等の中に装挿されて、それにより地中の水や井戸内の水を排水するために用いられる排水パイプに係り、より詳しくは、面倒な作業を経ること無く、内部に砂等が入り込むことを防止可能とした排水パイプに関する。
【背景技術】
【０００２】
従来から、法面等における崩落を防止するために、地中に排水パイプを埋設して、この排水パイプによって地下水を排水することが行われている。
【０００３】
ここで、従来から一般的に用いられている排水パイプについて説明すると、図４は従来の排水パイプの斜視図であり、図において３１が、従来の排水パイプである。
【０００４】
そして、従来の排水パイプ３１は、一般的に、円筒状のパイプ本体３２を有しており、このパイプ本体３２は塩ビ管等により構成され、このパイプ本体３２の任意の箇所には、地中内の水をパイプ本体３２内に取り込むための導水孔３３が形成されている。
【０００５】
また、前記パイプ本体３２の外周側には、前記導水孔３３を覆うようにして保護カバーとしてのストレーナーが周設されている。即ち、図において３４がストレーナーであり、このストレーナー３４は一般的に、メッシュ状とした網等から構成されており、このストレーナー３４を、導水孔３３を覆うようにしてパイプ本体３２の外周に周設することで、地中内の砂等が導水孔３３よりパイプ本体３２内に入り込むことを防止している。
【０００６】
即ち、パイプ本体３２に形成した導水孔３３をそのまま露出している場合には、地中の水を取り込むことができるとともに、地中の土砂等もパイプ本体３２内に入り込み、それによってパイプ本体３２の中が詰まってしまい、排水を行うことが困難になってしまう。
【０００７】
そこで、一般的に排水パイプでは、メッシュ状のストレーナーを、導水孔３３を覆うようにしてパイプ本体３２の外周に周設することで、地中内の砂等が導水孔３３よりパイプ本体３２内に入り込むことを防止している。
【０００８】
そして、このように構成される排水パイプ３１は一般的に、法面の崩落等を防止するために、地中に埋設されて、地中の水を外部に排水して法面の水抜きのために用いられ、あるいは、宅地やゴルフ場において、勾配をつけながら地中に埋設されて、それによって地下水等を排水するために用いられ、更にあるいは、例えば観測井戸の中に装挿されて、井戸の水上げのために用いられている。
【先行技術文献】
【特許文献】
【０００９】
【特許文献１】特開２００７−１５４４６４
【特許文献２】特開２００５−２９９９０４
【特許文献３】特開２００３−１５５７３７
【特許文献４】特開２００３−１４７７７５
【特許文献５】特開２００１−１７３８４８
【特許文献６】特開平５−２６３４２９
【考案の概要】
【考案が解決しようとする課題】
【００１０】
前述したように、従来の排水パイプ３１では、導水孔３３を覆うようにしてその外周にストレーナー３４が周設されているが、このストレーナー３４を周設するに際しては、図５に示すように、四角形状の１枚の布状の平坦なストレーナー３４を、パイプ本体３２に巻きつけるようにしてパイプ本体３２に周設して、その後に、ストレーナー３４の両端部分を、テープ、針金等の締付部材によって締め付けて、これによって、ストレーナー３４をパイプ本体３２の外周に周設していた。
【００１１】
しかしながら、一般的にストレーナー３４は前述したように網状であるために、パイプ本体３２が小さい場合は兎に角、パイプ本体３２の径が大きくなると、すべての導水孔３３を覆うような配置でストレーナー３４をパイプ本体３２に巻きつける作業は、極めて大変である。
【００１２】
また、パイプ本体３２の外周に巻きつけた後に、その状態を維持しながらストレーナー３４の両端をテープや針金で締め付ける作業も大変である。
【００１３】
その一方、導水孔３３をストレーナー３４で塞がない場合には、前述したように、地中の土砂等がパイプ本体３２内に入ってパイプ本体が詰まってしまい、それにより地中の水抜きが不可能になり、そのことが、法面の土砂崩れ等を招いてしまうおそれも十分に考えられる。
【００１４】
そこで、本考案は、面倒な作業を行うことなく、ストレーナーをパイプ本体の外周に周設することが可能な排水パイプを提供することを課題としている。
【課題を解決するための手段】
【００１５】
本考案の排水パイプは、
中空のパイプ本体と、
該パイプ本体に形成した複数個の導水孔と、
該導水孔を塞ぐ配置で前記パイプ本体の外周に周設されたストレーナーと、を具備した排水パイプであって、
前記ストレーナーは、
細い線材をフレキシブルかつ周方向へ拡縮自在に編み上げて形成した透水性の筒状体である、ことを特徴としている。
【考案の効果】
【００１６】
本考案の排水パイプでは、導水孔を塞ぐ配置でパイプ本体の外周に周設されたストレーナーとして、細い線材をフレキシブルかつ周方向へ拡縮自在に編み上げて形成した透水性の筒状体を用いている。
【００１７】
そのために、このストレーナーをパイプ本体の外周に周設する際には、ストレーナーですべての導水孔を塞ぐことができる位置まで、ストレーナーの中にパイプ本体を入れていくのみでよく、従来の排水パイプのように、カバー材をパイプ本体に巻きつけていく作業が不要である。
【００１８】
従って、本考案の排水パイプでは、パイプ本体の径の大小にかかわらず、面倒な作業を行うことなく、ストレーナーをパイプ本体の外周に周設することが可能である。
【図面の簡単な説明】
【００１９】
【図１】本考案の排水パイプの実施例の正面図である。
【図２】本考案の排水パイプの実施例においてストレーナーを取り付ける方法を説明するための図である。
【図３】本考案の排水パイプの実施例の使用方法の一例を説明するための図である。
【図４】従来の排水パイプを説明するための図である。
【図５】従来の排水パイプを説明するための図である。
【考案を実施するための形態】
【００２０】
本考案の排水パイプでは、塩ビ管等の樹脂により形成されたパイプ本体を有しており、このパイプ本体は、中空の円筒状としている。
【００２１】
また、このパイプ本体には、複数個の導水孔が、周方向に沿って形成されており、この導水孔を介して、パイプ本体の内部は外部と連通している。
【００２２】
更に、このパイプ本体の外周には、ストレーナーが周設されており、このストレーナーは、パイプ本体に形成された導水孔を塞ぐ配置で、パイプ本体の外周に周設されている。
【００２３】
そして、ストレーナーは、樹脂製の細い線材を編み上げて形成した透水性の筒状体としており、折り曲げ自在なフレキシブルであり、なおかつ、周方向へ拡縮自在としており、このストレーナーは、ストレーナーですべての導水孔を塞ぐことができる位置まで、ストレーナーの中にパイプ本体を入れていくことによって、パイプ本体の外周に周設されている。
【実施例１】
【００２４】
本考案の排水パイプの実施例について図面を参照して説明すると、図１は、本実施例の排水パイプを示した一部省略図であり、図において１が、本実施例の排水パイプである。
【００２５】
そして、本実施例の排水パイプ１は、パイプ本体を有しており、このパイプ本体を介して、地中の水を排水することとしている。即ち、図において２がパイプ本体であり、本実施例においてこのパイプ本体２は、塩ビ製で、中空の円筒状としている。
【００２６】
また、このパイプ本体２には、その中間部分に、円周方向に沿って導水孔が形成されている。即ち、図において３が導水孔であり、本実施例においてこの導水孔３は、パイプ本体２の長手方向に見た中間部分に、複数列に亘って、周方向に沿って間隔を置いて、形成されている。
【００２７】
次に、図において４は、ストレーナーである。即ち、本実施例の排水パイプ１では、前記パイプ本体２の外周にストレーナー４が周設されており、このストレーナー４は、前記導水孔３のすべてを塞ぐことができる配置で、前記パイプ本体２の外周に周設されている。
【００２８】
ここで、前記ストレーナー４について説明すると、本実施例において前記ストレーナー４は、樹脂製の細い線材を筒状に編み上げることで形成されており、その編み上げに際しては、フレキシブルかつ周方向へ拡縮自在にしており、更に透水性を有するように編み上げている。即ち、前記ストレーナー４は、折り曲げ自在のフレキシブルとしており、また、その径を周方向へ拡張自在であるとともに、拡張した状態から元の径に復元自在としている。
【００２９】
従来から、フレキシブルホースの補強のために、細い線材をフレキシブルに編み上げて形成した筒状の補強材が用いられており、この補強材をフレキシブルホースの外周に周設することで、フレキシブルホースの補強を可能にしている。
【００３０】
そこで、本考案者は、この補強材に着目して、樹脂製の細い線材をフレキシブルな筒状に編み上げるとともに、その編み上げに際しては、周方向に拡縮自在にするとともに、透水性を有するようにして、これにより、前記パイプ本体２の外周に周設するストレーナー４を構成した。
【００３１】
そのために、本実施例の排水パイプ１では、面倒な作業を経ることなく、ストレーナー４をパイプ本体２の外周に周設することが可能であるとともに、本実施例における前記ストレーナー４は透水性を有しているために、地下水のみをパイプ本体２内に取り込むことが可能であり、ストレーナー４としての機能を十分に発揮することも可能である。
【００３２】
即ち、本実施例における前記ストレーナー４を前記パイプ本体２の外周に周設する場合には、図２に示されるように、ストレーナー４内にパイプ本体２が挿入されるようにして、パイプ本体２の外周にストレーナー４を被せていくとともに、ストレーナー４ですべての導水孔３を塞ぐことができる位置まで、パイプ本体２のストレーナー４内への挿入を継続する。
【００３３】
そして、ストレーナー４ですべての導水孔３を塞ぐことができる位置までパイプ本体２をストレーナー４内への挿入した後に、ストレーナー４の両端部分をテープ５で締め付けて、これにより、ストレーナー４の位置を固定する。
【００３４】
そうすると、パイプ本体２に形成した導水孔３を塞ぎつつストレーナー４をパイプ本体２の外周に周設することができ、これによってパイプ本体２内に土砂等が入り込むことを防止できるとともに、本実施例におけるストレーナー４は透水性を有しているために、地中の地下水等をパイプ本体２内に取り込んで排水することが可能である。
【００３５】
従って、本実施例の排水パイプ１では、面倒な作業を行うことなく、ストレーナー４をパイプ本体２の外周に周設することが可能である。
【００３６】
なお、本実施例において前記ストレーナー４は、その内径が前記パイプ本体２の外径よりも小さい寸法に形成しており、これにより、パイプ本体２の外周に周設した際に、パイプ本体２を締め付けることを可能にしている。
【００３７】
即ち、本実施例においてパイプ本体２の外周にストレーナー４を周設する際には、ストレーナー４の径を広げながら、ストレーナー４内にパイプ本体２を挿入するようにしてパイプ本体２の外周にストレーナー４を周設する。そうすると、本実施例における前記ストレーナー４は、樹脂製の細い線材をフレキシブルな筒状に編み上げ、周方向に拡縮自在であるため、径を広げられながらパイプ本体２の外周に周設されたストレーナー４は、元の径に戻ろうとするために、それにより、パイプ本体２を締め付けることになる。従って、本実施例においては、ストレーナー４をパイプ本体２の外周に強固に周設することが可能である。
【００３８】
なお、図において６は、パイプ本体２の先端に装着したキャップ部材である。即ち、本実施例の排水パイプ１を地中等に埋設し、あるいは井戸内に装挿した場合において、先端部が開口の状態のままでは、この先端部から土砂等が入り込んでしまうために、本実施例においてはキャップ６を具備して、使用に際して、このキャップ６を先端部に装着して、これにより先端部の開口を閉鎖することとしている。
【００３９】
次に、このように構成される本実施例の排水パイプ１の作用について説明すると、図３は、本実施例の排水パイプ１を造成地等の法面に適用した状態を説明するための図であり、図において１１が法面、１２が地中であり、また、図において１が、地中に埋設される本実施例の排水パイプ１である。
【００４０】
即ち、本実施例の排水パイプ１で法面を有する造成地等内の水抜きを行う場合には、パイプ本体２の外周に導水孔３を塞ぎつつストレーナー４を周設し、更に先端部にキャップ６を装着した状態の本実施例の排水パイプ１を、先端部から基端部にかけて下側に傾斜するような勾配をつけながら、かつ、基端部の開口が法面から露出するような配置で、地中１２に埋設する。
【００４１】
そうすると、雨等で地中に浸透して地中内を下側に移動してきた地下水は、ストレーナー４を通過して導水孔３を介してパイプ本体２の内部に取り込まれ、パイプ本体２で、排水パイプ１の勾配によって基端側まで移動した後に、基端側の開口を介して法面の外部に排出される。
【００４２】
そしてこれにより、地中の余分な地下水を排水することができ、それによって土砂崩れ等を防止することができる。
【００４３】
また、その他に、本実施例の排水パイプ１は、宅地造成地の排水、ゴルフ場の地中の排水、あるいは井戸内の水上げ等にも使用可能である。
【００４４】
即ち、本実施例の排水パイプ１を複数本連結するとともに先頭の排水パイプの先端にはキャップ６を装着して、その状態の排水パイプ１を、勾配をつけながら、宅地造成地やゴルフ場の地中に埋設して、これにより、前記の場合と同様に、ストレーナー４と導水孔３を介してパイプ本体２の内部に地下水を取り込み、この取り込んだ地下水をパイプ本体２の内部で、排水パイプ１の勾配によって基端側まで移動させた後に、所定の箇所で外部に排出し、これにより、地下水等の排水を行う。
【００４５】
また、井戸内の水上げに使用する場合には、本実施例の排水パイプ１を井戸内に装挿する。そうすると、ストレーナー４及び導水孔３を介して、井戸内の水がパイプ本体２の内部に取り込まれるので、このパイプ本体２の内部に取り込まれた水をポンプによって排水し、これによって井戸内の水上げを行うことが可能となる。
【００４６】
このように、本実施例の排水パイプ１は、導水孔３を塞いでいるストレーナー４を透水性としているために、従来の排水パイプと同様に、地下水の排水、井戸内の水上げを行うことが可能である。
【００４７】
そして、本実施例の排水パイプ１では、土砂等の流入を防止して水のみを取り込むためのストレーナー４を、樹脂製の細い線材を筒状に編み上げることで形成するとともに、その編み上げに際しては、フレキシブルかつ周方向へ拡縮自在にしており、このストレーナー４の径を広げながら、ストレーナー４内にパイプ本体２を挿入するのみで、パイプ本体２の外周にストレーナー４を周設可能としているため、パイプ本体の径の大小にかかわらず、面倒な作業を行うことなく、ストレーナーをパイプ本体の外周に周設することが可能である。
【産業上の利用可能性】
【００４８】
本考案の排水パイプは、ストレーナーによって土砂等の流入を防止しつつ外部の水を導水孔よりパイプ本体内に取り込み、その後、パイプ本体に取り込んだ水を排水可能にしているために、パイプ本体の内部を介して排水するための排水パイプの全般に適用可能である。
【符号の説明】
【００４９】
１    排水パイプ
２    パイプ本体
３    導水孔
４    ストレーナー
５    テープ
６    キャップ
【図１】
0003169598.tif 000003
【図２】
0003169598.tif 000004
【図３】
0003169598.tif 000005
【図４】
0003169598.tif 000006
【図５】
0003169598.tif 000007